【手続補正書】
【提出日】平成26年8月18日(2014.8.18)
【手続補正１】
【補正対象書類名】特許請求の範囲
【補正対象項目名】全文
【補正方法】変更
【補正の内容】
【特許請求の範囲】
【請求項１】
被検体を収容する空間に均一な静磁場を発生させる静磁場発生手段と、前記静磁場へ重畳して傾斜磁場を発生させる傾斜磁場発生手段と、前記被検体へ照射する高周波磁場を発生させる高周波磁場発生手段と、前記被検体から発生するＮＭＲ信号を検出する検出手段と、前記検出されたＮＭＲ信号を画像化する画像化手段と、前記傾斜磁場発生手段と前記高週波磁場発生手段と前記検出手段と前記画像化手段とを制御する制御部を備えた磁気共鳴イメージング装置であって、
前記制御部は、複数の撮像を計画する計画部を備え、該計画部は、前記複数の撮像のいずれかが実行中に中止された後にも、撮像を再開するための計画を再設定する再設定部を備えていることを特徴とする磁気共鳴イメージング装置。
【請求項２】
前記計画部は、前記複数の撮像の実行の順番を計画し、前記再設定部は、該実行の順番を入れ替える入れ替え部を備えたことを特徴とする請求項１に記載の磁気共鳴イメージング装置。
【請求項３】
前記再設定部は、前記計画部で計画した撮像以外に追加の撮像の計画を付け加える追加部を備えたことを特徴とする請求項１に記載の磁気共鳴イメージング装置。
【請求項４】
前記再設定部は、前記中止時に撮像していた撮像を含めて撮像するかを受け付ける第１の判断部を備えたことを特徴とする請求項１に記載の磁気共鳴イメージング装置。
【請求項５】
前記再設定部は、前記中止時に計画していた撮像を含めて撮像するかを受け付ける第２の判断部を備えたことを特徴とする請求項１又は４に記載の磁気共鳴イメージング装置。
【請求項６】
前記中止時の中止状況を記録する記録部と、該記録部に記録された中止状況に応じて再開プロトコルを提示する提示部を備えたことを特徴とする請求項１に記載の磁気共鳴イメージング装置。
【請求項７】
前記撮像を再開する際のボタンがメイン部とオプション部から成り、オプション部を用いることにより、再開するプロトコルを選択できることを特徴とする請求項１に記載の磁気共鳴イメージング装置。
【手続補正２】
【補正対象書類名】明細書
【補正対象項目名】０００７
【補正方法】変更
【補正の内容】
【０００７】
上記の課題を解決するために、本発明は、被検体を収容する空間に均一な静磁場を発生させる静磁場発生手段と、前記静磁場へ重畳して傾斜磁場を発生させる傾斜磁場発生手段と、前記被検体へ照射する高周波磁場を発生させる高周波磁場発生手段と、前記被検体から発生するNMR信号を検出する検出手段と、前記検出されたNMR信号を画像化する画像化手段と、前記傾斜磁場発生手段と前記高週波磁場発生手段と前記検出手段と前記画像化手段とを制御する制御部を備えたMRI装置であって、
前記制御部は、複数の撮像を計画する計画部を備え、該計画部は、前記複数の撮像のいずれかが実行中に中止された後にも、撮像を再開するための計画を再設定する再設定部を備えている。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１７
【補正方法】変更
【補正の内容】
【００１７】
最初に、本発明に係る被検体を収容する空間に均一な静磁場を発生させる静磁場発生手段と、静磁場へ重畳して傾斜磁場を発生させる傾斜磁場発生手段と、被検体へ照射する高周波磁場を発生させる高周波磁場発生手段と、被検体から発生するNMR信号を検出する検出手段と、検出されたNMR信号を画像化する画像化手段と、傾斜磁場発生手段と高週波磁場発生手段と検出手段と画像化手段とを制御する制御部を備えたMRI装置の一例の全体概要を図1に基づいて説明する。図1は、本発明に係るMRI装置の一実施例の全体構成を示すブロック図である。このMRI装置は、NMR現象を利用して被検体の断層画像を得るもので、図1に示すように、MRI装置は静磁場発生系2と、傾斜磁場発生系3と、送信系5と、受信系6と、信号処理系7と、シーケンサ4と、中央処理装置(CPU)8とを備えて構成される。
【手続補正１０】
【補正対象書類名】明細書
【補正対象項目名】００２７
【補正方法】変更
【補正の内容】
【００２７】
図4は、本発明の実施例1におけるMRI装置の動作の一例を示すフローチャートである。次に該フローチャートの各ステップを順に説明する。
【手続補正１１】
【補正対象書類名】明細書
【補正対象項目名】００３６
【補正方法】変更
【補正の内容】
【００３６】
(ステップ43)
操作者は、ステップ37で撮像中止の指令を入力した時計画(予約)していた撮像(ここでは、T2強調撮像とFLAIR撮像)を含めて再開するかを判断する。具体的には、図7におけるメニューバーの“撮像中だった撮像を含めて再開する”を選択すると、第2の判断部8eにより、図7で示されていたメニューバーが閉じて、図8で示されていたようなメニューバーが表示され、ステップ37で計画中止の指令を入力した時計画していた撮像を含めて再開するか、含めないで再開するかを選択できるようになっている。ステップ37で撮像中止の指令を入力した時計画していた撮像を含めて再開する場合は、ステップ45へ、含めて再開しない場合はステップ44へ移行する。
【手続補正１２】
【補正対象書類名】明細書
【補正対象項目名】００４２
【補正方法】変更
【補正の内容】
【００４２】
(ステップ52)
操作者が、ステップ52で図5で示した表示画面を操作すると、入れ替え部8fは、撮像の順番を入れ替える。具体的に図5で表示されている撮像のうち、検査の変更や、被検体の体調の変化などにより、撮像-Bを撮像Cの後に撮像したい場合、操作者は、マウスにより撮像-Cをドラッグし、撮像-Aと撮像-Bの間にドロップすることで、撮像順を容易に変更できる。例えば2番目に撮像予定であるT2強調画像の撮像と、3番目に撮像予定であるFLAIR画像の撮像の順番を入れ替えて、FLAIR強調画像の撮像を2番目の撮像予定とし、T2強調画像の撮像を、3番目の撮像予定とする。図11は、順番を入れ替える際に画面がどうなるかを示したものであり、撮像-Cのボックスをドラッグすると、入れ替え部8eにより、撮像-Aと撮像-Bの間が太くなり、挿入可能になることが示されている。(ここで、同じく図5で表示されている撮像のうち、撮像する時間が長く、待たせている患者が多いため今回は撮像-Cを不要と判断した場合等に、画面上に表示されているチェックボックスなどを操作することにより簡単に撮像対象からはずすことができても良い。)
(ステップ53)
操作者は、追加で計画(予約)したい撮像があるかを判断する。撮像を追加したい場合は、ステップ54へ、撮像を追加したくない場合はステップ55へ移行する。
【手続補正１３】
【補正対象書類名】明細書
【補正対象項目名】００５１
【補正方法】変更
【補正の内容】
【００５１】
(ステップ59)
計測制御部8bは、ステップ37で計測中止の指令を入力した時計測中だった計測(ここではT2強調撮像)を含めて、被検体の状態が安定してから再開する。
【手続補正１４】
【補正対象書類名】明細書
【補正対象項目名】００５３
【補正方法】変更
【補正の内容】
【００５３】
(ステップ61)
計測制御部8bは、数分たってから再開する。
【手続補正１５】
【補正対象書類名】図面
【補正対象項目名】図１
【補正方法】変更
【補正の内容】
【図１】
2013052016.tif 000001